(57)【要約】      （修正有）【課題】薄暗い場所でも明るく見え、しかもピント調節しやすく照明が直接目に入らないため目にやさしい照明付き拡大検査器具装置を提供する。【解決手段】円形のＬＥＤ照明３の内側にレンズ２を取り付け、拡大して本などを見るスタンド型の照明付き拡大検査器具装置である。装置本体１は上板５と底板８とが背板７によってコの字形に連接され、装置本体の上板の中央に円形の開口部が設けられ、開口部にレンズが取り付けられており、検査台９のー端部が可動板１０とＬ型に連接され、可動板部分で背板に連結され、ＬＥＤ照明の下部に透光性を有する受け板を備え、ＬＥＤ照明に沿って円形の遮蔽板Ｓを備えた照明付き拡大検査器具装置であり、可動板に上下方向に長径を有する長穴Ｐが設けられている。【選択図】図１
0003188565.tif 000002
【実用新案登録請求の範囲】
【請求項１】
装置本体とレンズとＬＥＤ照明と検査台を有する拡大鏡付検査器具装置であって、前記装置本体は上板と底板とが背板によってコの字形に連接されており、装置本体の上板の中央に円形の開口部が設けられ、該開口部にレンズが取り付けられており、前記検査台のー端部が可動坂とＬ型に連接されており可動板部分で背板に上下可動に連結されており、ＬＥＤ照明の下部に透光性を有する受け板を備え前記ＬＥＤ照明の内側面に沿って円形の遮蔽板を備えてなることを特徴とする照明付き拡大検査器具装置。
【請求項２】
前記可動板に上下方向に長径を有する長穴が設けられていることを特徴とする請求項１に記載の照明付き拡大検査器具装置。
【請求項３】
前記背板に目盛りが設けられていることを特徴とする請求項１又は請求項２に記載の照明付き拡大検査器具装置。
【考案の詳細な説明】
【技術分野】
【０００１】
本考案は、ＬＥＤ照明のサークラインの内側に拡大レンズを付けた電気スタンド型の照明付き拡大検査器具装置である。
【背景技術】
【０００２】
従来、細かい活字の本を見る時ルーペなどを手で持って見たりしていた。これでは不便である。また、像のピント調節が手持ちのルーペでは手や目の不自由な高齢者などでは使い勝手が悪かった。これを解決したものとして、さまざま工夫されたものがある。たとえば先行技術文献、特開２００２−１４８５２７号公報参照。
【先行技術文献】
【特許文献】
【０００３】
【特許文献１】特開２００２−１４８５２７号公報
【考案の概要】
【考案が解決しようとする課題】
【０００４】
前記特開２００２−１４８５２７号公報では照明装置がないので、薄暗い場所では、見えにくかった。そのため照明装置付の拡大鏡は従来からあるがＬＥＤなどの照明が直接目に入ると見ずらいことが多々あった。蛍光灯サークラインの内側にレンズを取り付けていた。蛍光灯やＬＥＤ照明は直接目に入ると目にとって有害であり長時間使用すると目を傷める恐れがある。本考案の照明付き拡大検査器具装置は薄暗い場所でも明るく見え。しかも御年寄りでもピント調節しやすく、しかも、照明の光が直接目に入らないため、目にやさしい照明付き拡大検査器具装置を提供することを目的とする。
【課題を解決するための手段】
【０００５】
装置本体とレンズとＬＥＤ照明と検査台を有する拡大鏡付き検査器具装置であって前記装置本体は上板と底板とが背板によってコの字形に連接されており、前記検査台のー端部が可動板とＬ型に連接され、可動板部分で背板に上下可動に連結されておりＬＥＤ照明の下部に透光性を有する受け板を備え、前記ＬＥＤ照明の内側面に沿って円形の遮蔽板を備えてなることを特徴とする照明付き拡大検査器具装置であり、前記可動板上下方向に長径を有する長穴が設けられている。
【考案の効果】
【０００６】
ＬＥＤ照明などの光が直接目に入らないので目にやさしく、ピント調節が簡単に行うことが出来るので、高齢者にやさしい照明付き拡大検査器具装置である。
【図面の簡単な説明】
【０００７】
【図１】図１は本考案の照明付き拡大検査器具装置の斜視図である。
【図２】図２は本考案の照明付き拡大検査器具装置の平面図である。
【図３】図３は本考案の照明付き拡大検査器具装置の図１のＡ−Ａ′断面図である。
【図４】図４は本考案の照明付き拡大検査器具装置の透光性を有する受け板の平面図である。
【考案を実施するための形態】
【０００８】
図１〜図４に従って本考案の照明付き拡大検査器具装置について説明する。図１は本考案の照明付き拡大検査器具装置の斜視図である。円形のＬＥＤ照明３にレンズ２をその内側に取り付ける。詳しくは装置本体１の上板５の略中央に円形の開口部Ｋが設けられ、該開口部に円形の遮蔽板が設けられ、開部にレンズ２が取り付けられている。拡大して本などを見るスタンド型の照明付き拡大検査器具装置である。図２は本考案の照明付き検査器具装置の平面図である。装置本体１とレンズ２とＬＥＤ照明３と検査台９を有する拡大鏡付き検査器具装置であり、前記装置本体１は上板５と底板８とが背板７によってコの字形に連接されて、前記検査台９のー端部９ａが可動板１０とＬ型に連接され、可動板１０の部分で背板７に連結されている。また、ＬＥＤ照明３の内側面に沿って円形遮蔽板Ｓを備え、ＬＥＤ照明３の下部に透光性を有する受け板１１を備えた照明付き拡大検査器具装置であり前記可動板１０に上下方向に長径を有する長穴Ｐが設けられている。図３は図１のＡ−Ａ′断面図であり、図４は透光性を有する受け板の平面図である。
【０００９】
本考案の照明付き拡大検査器具装置は装置本体１とレンズ２とＬＥＤ照明３と検査台９を有する拡大鏡付き検査器具装置であって前記装置本体１は上板５と底板８とが背板７によってコの字形に連接されており、前記検査台９のー端部９ａが可動板１０とＬ型に連接され、可動板１０部分で背板７に上下可動に連結されており、ＬＥＤ照明３の下部に透光性を有する受け板１１を備え前期ＬＥＤ照明３の内側面に沿って円形の遮蔽板Ｓを備えてなることを特徴とする照明付き拡大検査器具装置であり、前記可動板１０の上下方向に長径を有する長穴Ｐが設けられている。
【００１０】
円形のＬＥＤ照明にレンズ２をその内側に取り付ける。拡大して本を見るスタンド型の装置本体１である。上板５の所定の位置にスイッチＳＷが設けられておりＬＥＤ照明３のＯＮ、ＯＦＦができる。上下スライドする検査台９でピントを合わせる。近視、遠視の方でも検査物が大、中、小、さまざまであっても検査しやすく、また、本などを見やすくする装置である。また、下付け文字等の小さな文字を見やすくすることが可能でそのために、レンズ２とＬＥＤ照明３を備えたスタンド型の装置本体１である。製造するのが簡単である。遮蔽板Ｓは鉄板、鋼板などを用いると丈夫であり、しかも、光遮蔽効果も大きい。又、符号１１は目に優しい透光性を有する受け板１１である。具体的には半透明又は透明のプラスチック板やガラス板などである、しかしこれらの材料に限定されるものではない。
【００１１】
前記上板５は例えば四角形からなり、上板５の外周の四側面はＬＥＤ照明３を覆うように幕板６が設けられている。幕板の材料は鋼板、鉄板などが用いられている。しかしこれに限定されるものではない。
【００１２】
本考案の照明付き拡大検査器具装置は装置本体１とレンズ２とＬＥＤ照明３と検査台９を有する拡大鏡付き検査器具装置であって前記装置本体１は上板５と底板８とが背板７によってコの字形に連接されており、前記検査台９のー端部９ａが可動板１０とＬ型に連接されている。可動板部分で背板７に連結されている。ＬＥＤ照明３の下部に透光性を有する受け板１１を備え前記ＬＥＤ照明３に沿って遮蔽板Ｓを備えてなることを特徴とする照明付き拡大検査器具装置である。その他図１の構造はＬＥＤ照明３の円筒形などのサークラインの内側にレンズ２を取り付け、拡大して本などを見るスタンド型の装置本体１である。コノ字形で加工が簡単で例えば塗装はメラミン焼付けで、遮蔽板５は鉄板、鋼板などで作られており、符号１１は目に優しい半透明又は透明のプラスチックの受け板１１である。しかしながらこれらの材料に限定されるものではない。
【００１３】
ピント調節は検査台９を上下に可動させることが出来る様に、可動板１０に設けた長穴Ｐを利用して、ボルトナットＮで固定しやすいような構造である。そして、つかみやすい大きさ、ロックしやすいネジを使う。例えば蝶ネジを用いるとつかみやすくロックしやすい。しかしながら、ネジはこれに限定されるものではない。
【００１４】
ピント調節は背板７にスケールとしての目盛りＭを書いておくと調節しやすくて楽である。
【００１５】
上下スライドする検査台９で近視、遠視の人でもピント調節ができる。検査物に大、中、小があってもピント調節が容易にできる。例えば本の下付、上付け文字などの細かい文字であっても見やすくするためのレンズ２とＬＥＤ照明３付き拡大検査器具装置である。
【産業上の利用可能性】
【００１６】
目のあまり良く見えない人とか、小さなものとか、下付け文字等の小さな文字などが良く見えるので工場などのラインの検査に使うことが出来るものであり大変有用である。
【符号の説明】
【００１７】
１    装置本体  
２    レンズ            
３    ＬＥＤ照明  
３ａ  ＬＥＤ照明の内側面
４    固定金具    
５    上板    
６    幕板    
７    背板  
８    底板  
９    検査台  
９ａ  検査台のー端部
１０    可動板  
１１    受け板  
Ｅ    カバー
Ｎ    ボルトナット  
Ｐ    長穴  
Ｓ    遮蔽板  
Ｍ    目盛り
Ｋ    開口部              
Ｃ    コード  
ＳＷ    スイッチ  、  
【図１】
0003188565.tif 000003
【図２】
0003188565.tif 000004
【図３】
0003188565.tif 000005
【図４】
0003188565.tif 000006